(57)【要約】    【課題】取り扱いの便利な洗髪用容器と、該容器を用いて水等の飛散や衛生管理等に充分に対処し得る洗髪方法を提供する。    【解決手段】排水口１aを有する方形の底板１と、底板１の各辺に起伏自在に連結された側板２,３,４,５と、使用状態にするべく起立せしめられたとき隣接する前記側板を互いに連結し得る連結具２a,２b、３a,３b、４a,４b、５a,５bとを含み、前記側板の一つの上端縁に被洗髪者の首部を支えるネップ８を置くための凹陥部２cを形成すると共に、不使用時前記複数の側板を前記底板上に折りたたみ得るように構成されている。【選択図】図１
2006191948.tif 000002
【特許請求の範囲】
【請求項１】
少なくとも一つの排水口を有する多角形の底板と、該底板の各辺に起伏自在に連結された複数の側板と、使用状態にするべく起立せしめられたとき隣接する前記側板を互いに連結し得る連結具とを含み、前記複数の側板の一つの上端縁に被洗髪者の首部を支えるネップを置くための凹陥部を形成すると共に、不使用時前記複数の側板を前記底板上に折りたたみ得るように構成した洗髪用容器。
【請求項２】
前記底板が方形で中央部に被洗髪者の後頭部を載せるための枕体を設けた請求項１に記載の洗髪用容器。
【請求項３】
前記底板と各側板が、前記底板と各側板に亘って固着された一枚の伸縮自在な可撓部材により連結されている請求項１または２に記載の洗髪用容器。
【請求項４】
前記連結具が、隣接する前記側板間に設けられたマジックテープ（登録商標）である請求項１乃至３の何れかに記載の洗髪用容器。
【請求項５】
前記底板および側板が、硬質発泡樹脂材，木材，軽金属材およびエアー入り板状袋体の何れか一つまたは組合せから成っている請求項１乃至４の何れかに記載の洗髪用容器。
【請求項６】
前記複数の側板を起立連結して前記請求項１乃至５の何れかに記載の洗髪用容器を使用状態にするためのステップと、前記洗髪用容器内へ被洗髪者の頭部を置いたとき前顔部を除いて前記頭部を覆うことができ且つ前記洗髪用容器の排水口へ挿入し得る洗髪水排出部を有する洗髪水受けシート袋を、前記洗髪用容器内へ敷設するステップと、前記洗髪水受けシート袋内で洗髪するステップとを含む洗髪方法。
【請求項７】
前記洗髪水受けシート袋の洗髪水排出部内へ排水調整棒を挿入するステップを更に含む請求項６に記載の洗髪方法。
【発明の詳細な説明】
【技術分野】
【０００１】
本発明は、特に寝たきり病人用等として好適に使用し得る洗髪用容器及びそれを用いた洗髪方法に関する。
【背景技術】
【０００２】
従来、加圧ポンプを含む給水タンクと、該給水タンクに接続されたシャワー散水器と、洗髪用容器と、該洗髪用容器に接続された排水タンクとをセットにした、寝たきり病人用等として使用し得る洗髪用具は知られている（特許文献１参照）。
【特許文献１】特開２０００−１７５７２７号
【発明の開示】
【発明が解決しようとする課題】
【０００３】
この種の洗髪用具は、病院等の特別な施設においては使用可能であるが、一般家庭用としては不向きである。このうち、特に洗髪用容器は、形状が固定した洗面器状の容器である上に、寝たままの被洗髪者の枕の代わりに置かれて直接肌に触れる状態で使用されるため、持ち運び、使用時の周囲への水等の飛散や衛生管理等の点で、取り扱い勝手の良いものがなかった。
【０００４】
本発明は、このような事情に鑑みてなされたものであり、その目的とするところは、取り扱いの便利な洗髪用容器と、該容器を用いて水等の飛散や衛生管理等に充分に対処し得る洗髪方法を提供することにある。
【課題を解決するための手段】
【０００５】
上記目的を達成するため、本発明による洗髪用容器は、少なくとも一つの排水口を有する多角形の底板と、該底板の各辺に起伏自在に連結された複数の側板と、使用状態にするべく起立せしめられたとき隣接する前記側板を互いに連結し得る連結具とを含み、前記複数の側板の一つの上端縁に被洗髪者の首部を支えるネップを置くための凹陥部を形成すると共に、不使用時前記複数の側板を前記底板上に折りたたみ得るように構成されている。
【０００６】
本発明によれば、前記底板は方形で中央部に被洗髪者の後頭部を載せるための枕体が設けられている。
【０００７】
また、本発明によれば、前記底板と各側板が、前記底板と各側板に亘って固着された一枚の伸縮自在な可撓部材により連結されている。
【０００８】
また、本発明によれば、前記連結具が、隣接する前記側板間に設けられたマジックテープ（登録商標）である。
【０００９】
また、本発明によれば、前記底板および側板が、硬質発泡樹脂材,木材,軽金属材およびエアー入り板状袋体の何れか一つまたは組合せから成っている。
【００１０】
本発明による洗髪方法は、前記複数の側板を起立連結して前記洗髪用容器を使用状態にするためのステップと、前記洗髪用容器内へ被洗髪者の頭部を置いたとき前顔部を除いて前記頭部を覆うことができ且つ前記洗髪用容器の排水口へ挿入し得る洗髪水排出部を有する洗髪水受けシート袋を、前記洗髪用容器内へ敷設するステップと、前記洗髪水受けシート袋内で洗髪するステップとを含んでいる。
【００１１】
また、本発明による洗髪方法は、前記洗髪水受けシート袋の洗髪水排出部内へ排水調整棒を挿入するステップを更に含んでいる。
【発明の効果】
【００１２】
本発明によれば、不使用時はコンパクトに折りたたむことができ、携帯に便利な、寝たきり病人用等として好適に使用し得る洗髪用容器を廉価に提供することができる。
また、本発明によれば、本発明の洗髪用容器を使用して、洗髪水等を周囲に飛散させることがなく、常に衛生的に洗髪用容器を利用し得る洗髪方法を提供することができる。
【発明を実施するための最良の形態】
【００１３】
以下、本発明の実施の態様を図示した実施例に基き説明する。図１は本発明による洗髪用容器の一部を破断して示す斜視図、図２は図１に示す洗髪用容器を解体した状態の内側平面図、図３は図１に示す洗髪用容器を解体した状態の外側平面図、図４は図３に示す状態から洗髪用容器を折りたたんだ状態の斜視図、図５は洗髪水受け袋の一例の斜視図、図６は排水調整棒の斜視図、図７は洗髪用容器の使用状態を示す概略側面図である。
【００１４】
図中、１は方形をなしていて少なくとも一つの隅に排水口１ａを有する硬質発泡樹脂材,木材,軽金属材またはエアー入り板状袋体等からなる底板、２，３，４及び５はそれらの外面と底板１の外面との間に設けられた一枚の伸縮自在な可撓部材６により起伏自在に連結されていて後述の如く使用状態に組み立てられた時頂面が同一平面上に揃うような寸法に形成された硬質発泡樹脂材,木材,軽金属材またはエアー入り板状袋体等からなる側板である。
底板１の内面上には使用時被洗髪者の後頭部を載せるための枕体７が設けられ、側板２の上端縁には使用時被洗髪者の首部を支えるネップ８を置くための凹陥部２cが設けられ、また、各側板の外面には起立せしめられたとき隣接する各側板を連結するための連結具２ｂ，３ａ、３ｂ，４ａ、4ｂ，５ａ及び５ｂ，２ａがそれぞれ設けられている。
【００１５】
上記可撓部材６は一枚のゴム板等からなるのが好ましいが、図３に鎖線で示すように、底板１と各側板２〜５間にそれぞれ別個に設けられても良い。また、上記連結具としてはマジックテープ（登録商標）等からなるのが好ましいが、紐その他の周知手段が用いられても良い。
【００１６】
なお、各側板の寸法は、図１から明らかなように、起立せしめられて組み立てられたとき、側板３及び５の板厚部分が底板１上に乗り、側板２及び４が底板１と側板３及び５の板厚部分を覆うように、選定されている。この場合、側板２及び４の板厚部分が底板１上に乗り、側板３及び５が底板１と側板２及び４の板厚部分を覆うように、選定されてもよいことはいうまでもない。
【００１７】
本発明による洗髪用容器は上記のように構成されているから、使用に先立ち、図２の状態で例えば側板２及び３を起立せしめてこれらを密接させ、連結具３ａ及び２ｂを結合さてその状態を保持させ、次に、側板５を起立せしめてこれを底板１と側板２に密接させ、連結具５ａ及び２ａを結合させてその状態を保持させる。次に、側板４を起立せしめてこれを底板１と側板３及び５に密接させ、連結具５ｂ，４ｂ及び３ｂ，４ａをそれぞれ結合させて組み立を完了する。この時、洗髪用容器の少なくとも一つの隅に排水口１ａが形成される。
【００１８】
不使用時には、上記組み立て状態から連結具３ａ，２ｂ、３ｂ，４ａ、４ｂ，５ａ及び５ｂ，２ａの結合をそれぞれ解き、側板２〜５を図２の状態に戻した後、これを引っくり返して図３の状態に置き変え、次に、その状態で側板２と４を底板１側へ折りたたみ、続いて、その上に側板３と５を折り重ねて、図４に示すような一つのコンパクトなブロックとなし、持ち運びに便利なようにすることができる。
【００１９】
次に、図５乃至７を参照して、本洗髪用容器の使用方法を説明する。
図７に示すように、仰向け状態に寝ている病人等の前顔部を除いて頭部全体をゆったりと覆うように透明な洗髪水受けシート袋９を被せた後、頭部下側に、上記のようにして組み立てた洗髪用容器を差し入れて、後頭部が枕体７上に、首部がネップ８上に位置するように調整する。そして、洗髪水受けシート袋９の洗髪水排出部９ａを排水口１a内へ挿入し、準備を完了する。この場合、洗髪水受けシート袋９の上部周縁部分を洗髪用容器の側板２を除く三つの側板３，４及び５の上縁に被せて、実質上、被洗髪者の前顔部を除く頭部全体をゆったりと覆うようにしても良い。
なお、ベッドの近くには水中加圧ポンプを内蔵した給水タンク１０と、給水タンク１０に接続されていて先端にシャワーヘッド１１ａを有する伸縮可能の給水管１１と、洗髪用容器の排水口１aに接続された排水タンク１２と、必要に応じて排水タンク１２の排水を洗面容器等の放水設備へ放出すためのホース１３等が、設置及び撤去が自由にできるように備えられている。
【００２０】
以上の説明から明らかなように、洗髪の全行程は、被洗髪者の頭部を洗髪水受けシート袋９内に入れた状態で行われるが、その間必要に応じて排水調整棒１４を洗髪水受けシート袋９の洗髪水排出部９ａ内に挿入して、排水の流れを良くする。洗髪終了後、洗髪水受けシート袋９は捨てられる。従って、洗髪は、常に良好な衛生状態のもとで行われ得る。
【図面の簡単な説明】
【００２１】
【図１】本発明による洗髪用容器の一部を破断して示す斜視図である。
【図２】図１に示す洗髪用容器を解体した状態の内側平面図である。
【図３】図１に示す洗髪用容器を解体した状態の外側平面図である。
【図４】図３に示す状態から洗髪用容器を折りたたんだ状態の斜視図である。
【図５】洗髪水受け袋の一例の斜視図である。、
【図６】排水調整棒の斜視図である。
【図７】洗髪用容器の使用状態を示す概略側面図である。
【符号の説明】
【００２２】
１                    洗髪用容器の底板
１a                   排水口
２，３，４，５        洗髪用容器の側板
２ａ，２ｂ            連結具
３ａ，３ｂ            連結具
４ａ，４ｂ            連結具
５ａ，５ｂ            連結具
６                    伸縮自在な可撓部材
７                    枕体
８                    ネップ
９                    洗髪水受けシート袋
９ａ                  洗髪水排出部
１０                  給水タンク
１１                  伸縮可能の給水管
１１ａ                シャワーヘッド
１２                  排水タンク
１３                  ホース
１４                  排水調節棒
【図１】
2006191948.tif 000003
【図２】
2006191948.tif 000004
【図３】
2006191948.tif 000005
【図４】
2006191948.tif 000006
【図５】
2006191948.tif 000007
【図６】
2006191948.tif 000008
【図７】
2006191948.tif 000009